(57)【要約】【課題】  プラグ受とそれに差し込まれた差込プラグとの間に付着堆積する塵埃によってトラッキング現象が生じないようにプラグ受の表面を差込プラグの挿脱可能に被覆する。【解決手段】  コンセントＡの露出表面を被覆するカバー体６１のプラグ差込口Ｐ１，Ｐ２と所定間隔を隔てる正面部６１ａに差込プラグＢの差し込み動作によって撓む多数の当接片６３を設けたプラグ挿通口６２を形成する。プラグ挿通口６２を通してプラグ差込口Ｐ１，Ｐ２に差込プラグが差し込まれると、プラグ差込口Ｐ１，Ｐ２に対応する位置及び差込プラグＢの形状寸法に対応する当接片６３が撓んで差込プラグＢを通過させ、差し込まれた差込プラグの側面に当接する。多数の当接片６３はカバー体６１と一体に形成することができる。また、差込口の数や抜止形、接地極付きのなどの種類にかかわらず共通のプラグ受カバーを適用することができる。【選択図】  図１５
2005235747.tif 000002
【特許請求の範囲】
【請求項１】
プラグ受の表面を刃受穴が形成されたプラグ差込口から所定間隔を隔てて被覆するカバー体が形成され、このカバー体のプラグ差込口と対向する正面部に、差込プラグの刃受穴への差し込み動作により開いて差込プラグを通過させると共に差し込まれた差込プラグの側面に当接する当接片が形成されたプラグ挿通口が設けられてなることを特徴とするプラグ受カバー。
【請求項２】
プラグ挿通口は、カバー体正面部の刃受穴と対向する部位を切断線で１又は複数に分離した当接片が、差込プラグの差し込み動作によりヒンジ線から折れ曲るように形成されてなる請求項１に記載のプラグ受カバー。
【請求項３】
プラグ挿通口は、カバー体正面部の刃受穴と対向する部位に形成された開口部に、軟質材料で形成された当接片をその基部で固定した当接片形成体が装着されてなる請求項１に記載のプラグ受カバー。
【請求項４】
プラグ挿通口は、カバー体正面部の刃受穴と対向する部位に形成された開口部に、軟質材料で形成されたシートに差込プラグを通過させるスリットを形成した当接片形成体が装着されてなる請求項１に記載のプラグ受カバー。
【請求項５】
プラグ挿通口は、カバー体正面部の刃受穴と対向する部位に形成された開口部に、ゴム質材料で形成されたシートに拡張により差込プラグを通過させるプラグ通し穴を形成した当接片形成体が装着されてなる請求項１に記載のプラグ受カバー。
【請求項６】
当接片形成体が開口部に回動可能に装着されてなる請求項３〜５いずれか一項に記載のプラグ受カバー。
【請求項７】
当接片形成体が開口部に位置移動可能に装着されてなる請求項３〜５いずれか一項に記載のプラグ受カバー。
【請求項８】
プラグ挿通口は、カバー体正面部のプラグ差込口と対向する部位に形成された開口部に、可撓性を有する当接片を設けた複数の当接片形成体が位置移動可能に装着されてなる請求項１に記載のプラグ受カバー。
【請求項９】
プラグ挿通口は、カバー体正面部の刃受穴と対向する部位に形成された開口部に、可撓性材料で形成されたシートを多数の切断線の列設形成により多数分割すると共に、多数の切断線に直交して横断する１本の横断切断線を形成した当接片形成体が装着されてなる請求項１に記載のプラグ受カバー。
【請求項１０】
プラグ挿通口は、カバー体正面部の刃受穴と対向する部位に、多数の切断線の列設形成により分割した多数の帯状片を、多数の切断線に直交して横断する１本の横断切断線により均等分割した当接片が形成されてなる請求項１に記載のプラグ受カバー。
【請求項１１】
当接片は、外側に膨出する円弧状に形成されてなる請求項９又は１０に記載のプラグ受カバー。
【請求項１２】
当接片の先端部に、曲げ加工が施されてなる請求項９又は１０に記載のプラグ受カバー。
【請求項１３】
当接片の隣り合う間に、微小幅の未切断部分が形成されてなる請求項９又は１０に記載のプラグ受カバー。
【請求項１４】
カバー体は、プラグ受に着脱可能に装着されてなる請求項１〜１０いずれか一項に記載のプラグ受カバー。
【請求項１５】
カバー体の正面部とプラグ差込面との間の離隔距離は、栓刃部分が回動可能に形成された栓刃可動形プラグもしくは栓刃方向とコードの引出方向とが交差する方向にあるコーナープラグを、その厚さ方向で収容できる間隔に形成されてなる請求項１〜１０いずれか一項に記載のプラグ受カバー。
【請求項１６】
カバー体は、プラグ受に差し込まれた差込形マルチタップを包含する寸法に形成されてなる請求項１〜１０いずれか一項に記載のプラグ受カバー。
【請求項１７】
プラグ受は、埋込形コンセントである請求項１〜１６いずれか一項に記載のプラグ受カバー。
【請求項１８】
プラグ受は、露出形コンセントである請求項１〜１６いずれか一項に記載のプラグ受カバー。
【請求項１９】
プラグ受は、テーブルタップである請求項１〜１６いずれか一項に記載のプラグ受カバー。
【発明の詳細な説明】
【技術分野】
【０００１】  本発明は、コンセント、マルチタップ等のプラグ受が配電接続され、差込プラグが差し込まれていない状態及び差込プラグを差し込んだ状態において、プラグ受及び差込プラグの栓刃側を被覆してプラグ受と差込プラグとの間に埃が堆積することを防止する防塵効果及び刃受に水が侵入することを防止する防水効果により、トラッキング現象の発生を防止することができるようにしたプラグ受カバーに関するものである。尚、本書で使用する用語は、原則として日本工業規格（ＪＩＳ）において定義された用語を用いている。
【背景技術】
【０００２】  差込プラグを差し込んで配線接続の用に供されるプラグ受は、壁面に埋設される埋込コンセント、壁面上に露出設置される露出コンセント、テーブルタップ等のマルチタップ等として存在する。これらは差込プラグを随時抜き差しできるように隠蔽されない環境下に配置されているため、埃が堆積し、それが水分を含むとトラッキング現象を発生させて火災に至る恐れがある。これを防止するためには、差込プラグやプラグ受を定期的に清掃するのが最良の対策とされている。しかし、差込プラグをプラグ受けに常時差し込んでおく電気器具が増加しているため、清掃だけに依存することはできない。また、家具等によって隠された位置にあるコンセントの清掃は困難である。また、台所や洗面所、便所など水を使う場所に設けられたコンセントは、水の飛沫が降りかかることがあり、トラッキング現象や漏電の発生につながる恐れが大きくなる。また、差込プラグが差し込まれていない状態のプラグ受は、幼児が金属物を差し込んで感電する恐れもある。【０００３】  上記課題を解決するためには、差込プラグとプラグ受との間の接続部分を被覆することが好適な対策であり、差込プラグ側にその栓刃部分を被覆するプラグカバーとして構成されたもの、プラグ受側に差込口部分を被覆するコンセントカバーとして構成されたもの、として多数の提案がなされている。前記プラグカバーは差込プラグの外形寸法形状が規格化されていないため、外形寸法形状にマッチしたプラグカバーを選択使用しないと逆効果になることが、日本配線器具工業会の調査報告書（非特許文献１参照）に記載されている。本願発明は前記コンセントカバーに類するものであり、以下にプラグ受側を被覆するカバーについて、特許文献として多数開示されたものから数件を抜粋して示す。【０００４】（１）埋設コンセントの外部露出するコンセントプレートに代えてコンセント本体のプラグ差込口側に覆設される覆設板に、前記プラグ差込口の位置及び口数に応じて切り取って差込プラグをプラグ差込口に挿通させる開口部を形成する桟状の切取り部が設けられ、プラグ差込口の前面を覆設するプラグカバー体を備えたコンセントカバーで、コンセント本体のプラグ差込口の位置及び数に応じて切取り部から開口部を形成し、プラグ差込口に差し込んだ差込プラグのコードを含む部分をプラグカバーで被覆する（特許文献１参照）。【０００５】（２）埋設コンセントのコンセントプレートに代えて、プラグ差込口に対応する位置に差込プラグの端面を被覆する張り出し部分を設けたコンセントカバーをコンセント本体に取り付けるもので、差込プラグの栓刃形成部側がコンセントカバーによって被覆されるので、栓刃部分に埃が入り込まない構成としたもの（特許文献２参照）。【０００６】（３）コンセントの表面を被覆する箱状のカバーをコンセントに取り付け、プラグ差込口に差し込んだ差込プラグのコードをカバーに設けたコード引き出し口から外部に引き出す。コード引き出し口には防塵部材があるので、カバー内に塵埃は侵入せず、差し込みプラグとプラグ差込口に塵埃が堆積しない構成としたもの（特許文献３参照）。【０００７】（４）埋設コンセントのコンセントプレートに取り付けられるコンセントカバーに、��ラグ差込口から離隔させて設けられた前面板に扉を備えた開口部が形成され、扉を開いて開口部からプラグ差込口に差込プラグを差し込むので、埃がプラグ差込口に侵入し難く、コンセントの不使用時には扉で閉じられるので、塵埃の侵入や感電を防止できる構成としたもの（特許文献４参照）。【０００８】（５）埋設コンセントのコンセントプレートに、プラグ差込口を囲んで突出形成された外囲部が設けられているので、プラグ差込口に塵埃が堆積し難く、外囲部内にあるプラグ差込口に差し込みプラグを差し込み、差込プラグに密接させて充填部材又は密着部材を配すると、差込プラグとプラグ差込口との間が密閉されるようにしたもの（特許文献５参照）。【０００９】（６）建築現場における壁仕上げ工事等を行う際にコンセントを汚染させないように軟質樹脂製のカバー体でコンセントを被覆し、カバー体に差込プラグの栓刃を差し込むことができる切込みを形成して、コンセントを使用することも可能にしたもの（特許文献６参照）。【００１０】（７）埋設コンセントのプラグ差込口をコンセントプレートの表面より奥まった位置に設け、コンセントプレートにプラグ差込口を開閉自在に被覆する扉を設けているので、コンセントの不使用時にはプラグ差込口は扉で被覆され、差し込みプラグを差し込んだ状態ではプラグ差込口が奥まった位置にあるので、塵埃の堆積が少なくなるように構成されたもの（特許文献７参照）。【００１１】
【非特許文献１】日本配線器具工業会  技術資料  平成１４年９月１７日制定  海外製タップとトラッキング防止製品の調査報告書
【特許文献１】特開２０００−１００５１６号公報（第３〜７頁、図１）
【特許文献２】特開平０８−３０８０６１号公報（第２〜３頁、図１）
【特許文献３】特開平０８−３１５８９８号公報（第２〜３頁、図１）
【特許文献４】登録実用新案  第３０３６１２４号公報（第２〜９頁、図１）
【特許文献５】特開平０９−１２９２９８号公報（第２〜９頁、図１）
【特許文献６】実開平０４−４１６９５号公報（第１〜３頁、図１）
【特許文献７】特開昭５８−１１５７８１号公報（第１〜２頁、図３）
【発明の開示】
【発明が解決しようとする課題】
【００１２】  コンセント等のプラグ受をカバーして塵埃や水がプラグ差込口に侵入しないようにするプラグ受カバーを構成するとき、対象とするプラグ受が埋設コンセントである場合に、プラグ差込口に差し込まれた差込プラグのコード部分まで被覆するようにした構成は、上記特許文献３（従来技術３に記載）として開示されたものの他にも数件の従来技術が開示されている。このような構成は防塵や防水には効果的であるが、壁面からの突出量が大きくなり、通行の邪魔になったり、家具や電気製品の置き場所に制約を受ける問題があった。【００１３】  また、差込プラグは栓刃部分を除いて規格化されていないため、寸法形状は様々であり、コードが側面から引き出されているものも存在する。従って、差込プラグに対応させて差し込みプラグを囲むように凹部を形成した特許文献２（従来技術２に記載）や特許文献７（従来技術７に記載）として開示された構成では、差込プラグが差し込めなかったり、周囲の空間が大きくなって塵埃の侵入を防ぐ効果が低下したりする問題があった。【００１４】  また、特許文献１（従来技術１に記載）に記載の構成は、コンセントに設けられたプラグ差込口の口数や形状に合わせて開口部を形成するので汎用性に優れているものの、樹脂製の板を切取る作業は容易でないことが想像でき、ユーザにそれを強いるのはこれの普及によりトラッキング現象等の発生を予防するために好ましいものとはいえない。また、深さが小さいカバー体でコンセントを被覆するので、栓刃方向にコードが引き出されている大多数の差込プラグに対応することができず、栓刃可動型の差込プラグや栓刃方向に対してコード引き出し方向が９０度異なるコーナーキャップと称される差込プラグに交換する必要がある。【００１５】  また、特許文献４（従来技術４に記載）や特許文献７（従来技術７に記載）の構成のように、コンセントのプラグ差込口表面を扉で覆う構成は、コンセントが不使用状態にあるときの塵埃の侵入や幼児の悪戯による金属物に差し込みなどを防止するのに効果的であるが、差込プラグを差し込んだコンセント使用時に塵埃の侵入を防止する効果が低下する課題がある。前述したように差込プラグのサイズや形状は様々であるため、差し込めない差込プラグがあり、差し込んだ差込プラグの周囲に隙間ができて塵埃の侵入を防止する機能が損なわれることになる。また、特許文献４に記載されたプラグ差込口単位に扉を設けた構成は、片手で扉を開き、もう一方の手で差込プラグを差し込む動作が必要になる。【００１６】  また、特許文献５（従来技術５に記載）に開示された構成は、プラグ差込口の周囲に外囲部を設けたコンセントプレートを用いるので、埋込コンセントを新設する場合かコンセントプレートを交換する必要がある。また、差込プラグと外囲部との間に充填部材又は密閉部材を配設する必要があり、差込プラグの挿脱が面倒になる課題がある。【００１７】  また、特許文献６（従来技術６に記載）に開示された構成は、建築現場における仮設ようにコンセントカバーであるため、恒久的な使用に適さないものであるが、コンセントのプラグ差込口を被覆してペンキ等の付着を防ぐ構成が塵埃の侵入を阻止することには効果があるとして取り上げたものである。【００１８】  また、コンセントはプラグ差込口の口数や位置が様々であり、更には抜止形や接地極付きなどの種類があり、それぞれに対応させるには、コンセントの種類毎にコンセントカバーを設定する必要がある。この課題に対応できるようにした従来技術は、特許文献１（従来技術１に記載）に開示されたものがあるが、前述したように、装着対象とするコンセントのプラグ差込口の口数や位置に応じて樹脂製の板を切取る作業を必要とし、その作業が容易でない問題点がある。【００１９】  本発明は上記従来技術の課題に鑑みて創案されたもので、その目的とするところは、プラグ受の表面を差込プラグを差し込んだ状態でも差し込まない状態でも被覆して塵埃や水分の浸入を防止するプラグ受カバーを提供することにある。
【課題を解決するための手段】
【００２０】  上記目的を達成するために本発明に係るプラグ受カバーは、プラグ受の表面を刃受穴が形成されたプラグ差込口から所定間隔を隔てて被覆するカバー体が形成され、このカバー体のプラグ差込口と対向する正面部に、差込プラグの差し込み動作により開いて差込プラグを通過させると共に差込プラグの側面に当接する当接片が形成されたプラグ挿通口が設けられてなることを特徴とする。【００２１】  上記構成によれば、差込プラグが差し込まれていない状態ではプラグ受をカバー体によって被覆するので、プラグ受に塵埃や水分が付着することが防止でき、幼児がプラグ差込口に金属物を差し込んで感電する事故の発生を防止することができる。カバー体で被覆されたプラグ受に対して差込プラグを差し込む動作が行われると、差込プラグの押し込み力によりプラグ挿通口が開いて差込プラグを通過させ、プラグ差込口に差し込まれた差込プラグの側面に当接片が当接してカバー体内に塵埃や水分が侵入することを抑制する。【００２２】  上記構成におけるプラグ挿通口は、カバー体の正面部の刃受穴と対向する位置を切断線で１又は複数に分離した当接片が、差込プラグの差し込み動作によりヒンジ線から折れ曲るように形成すると、カバー体の樹脂成形時に切断線とヒンジ線とを形成すると、カバー体に簡易に挿通口を形成することができる。【００２３】  また、プラグ挿通口は、カバー体の正面部の刃受穴と対向する位置に形成された開口部に、軟質材料で形成された当接片をその基部で固定した当接片形成体を装着して構成することにより、開口部からカバー体を通過させて差込プラグを差し込んだとき、軟質材料によって形成された当接片形成体を装着したプラグ挿通口は、差し込まれた差込プラグの形状に対応する当接片の変形により差込プラグの挿入を許し、当接片が差込プラグの側面に当接するので、差込プラグの差し込みにより生じる隙間を閉じてカバー体内への塵埃や水分の侵入を効果的に防止することができる。また、プラグ差込口が抜止形である場合にも、斜め方向からの差込プラグの挿入及び差込プラグの抜け止め位置への回動に対して当接片は柔軟に追従して差込プラグの側面に当接して塵埃の侵入を防止することができる。【００２４】  また、プラグ挿通口は、カバー体の正面部の刃受穴と対向する位置に形成された開口部に、軟質材料で形成されたシートに差込プラグを通過させるスリットを形成した当接片形成体を装着して構成することにより、スリットに差込プラグを押し込むと、軟質材料によって形成されたシートはスリットから開いて差込プラグを通過させ、刃受穴に差し込まれた差込プラグの側面にスリットから開いたシートが当接するので、カバー体内への塵埃や水分の侵入を効果的に抑制することができる。【００２５】  また、プラグ挿通口は、カバー体の正面部の刃受穴と対向する位置に形成された開口部に、ゴム質材料で形成されたシートに拡張により差込プラグを通過させるプラグ通し穴を形成した当接片形成体を装着して構成することにより、プラグ通し穴に差込プラグを押し込むと、ゴム質材料によって形成されたシートのプラグ通し穴は差込プラグの外形形状に対応して拡張して差込プラグを通過させ、刃受穴に差し込まれた差込プラグの側面にプラグ通し穴から開いたシートが密着するので、カバー体内への塵埃や水分の侵入を防止することができる。【００２６】  上記当接片形成体は、開口部に回動可能に装着することにより、差し込んだ差込プラグを抜け止め位置に回動させて差込プラグの抜け出しを防止する抜止型の差込プラグにも対応するプラグ受カバーに構成することができる。【００２７】  また、当接片形成体は、開口部に位置移動可能に装着することにより、コンセント等に設けられたプラグ差込口の口数や位置、構造が異なった場合にも当接片形成体を移動できるので、所要の当接片形成体をプラグ差込口に対応する位置に移動させることにより対応させることができる。【００２８】  また、プラグ挿通口は、カバー体正面部のプラグ差込口と対向する部位に形成された開口部に、可撓性を有する当接片を設けた複数の当接片形成体を位置移動可能に装着して構成することにより、プラグ受に設けられたプラグ差込口の数や位置あるいは差込プラグの形状寸法の異なりがあっても当接片の撓み量と当接片形成体の位置移動により対応させることができ、プラグ受の種類の異なりに関係なく１つのプラグ受カバーで対応が可能となる。【００２９】  また、プラグ挿通口は、カバー体正面部の刃受穴と対向する部位に形成された開口部に、可撓性材料で形成されたシートを多数の切断線の列設形成により多数の分割当接片に分割すると共に、多数の切断線に直交して横断する１本の横断切断線を形成した当接片形成体を装着して構成することにより、コンセント等に設けられたプラグ差込口の口数や位置が異なっても当接片形成体が多数に分割されているので、差込プラグを刃受穴に差し込む動作によりプラグ差込口と対応する位置にある複数の分割当接片が押圧され、押圧された分割当接片は横断切断線から押圧方向に開いて差込プラグを進入させ、刃受穴に差し込まれた差込プラグの側面に当接する。【００３０】  また、プラグ挿通口は、カバー体正面部の刃受穴と対向する部位に、多数の切断線の列設形成により多数の分割当接片に分割すると共に、多数の切断線に直交して横断する１本の横断切断線を形成して構成することにより、カバー体と一体に当接片を形成することができ、小さい幅に分割形成された当接片に可撓性が与えられる。コンセント等に設けられたプラグ差込口の口数や位置が異なっても当接片形成体が多数に分割されているので、差込プラグを刃受穴に差し込む動作によりプラグ差込口と対応する位置にある複数の分割当接片が押圧され、横断切断線から押圧方向に開いて差込プラグを進入させ、刃受穴に差し込まれた差込プラグの側面に当接させることができる。【００３１】  上記のように当接片を多数に分割して構成したとき、当接片は外側に膨出する円弧状に形成、あるいは、当接片の先端部に内側への曲面を形成することにより、差込プラグにより押圧された当接片が折れ曲がって差込プラグとプラグ差込口との間に先端部が挟み込まれることを防止することができる。【００３２】  また、当接片の隣り合う間に、微小幅の未切断部分を形成することにより、差込プラグが刃受穴に差し込まれない状態においては、分割当接片は隣り合う間で未切断部分で連結されているので平面性が維持され、差込プラグを刃受穴���差し込む動作がなされたときには、差込プラグにより押圧を受けた分割当接片は未切断部分が切り離されて差込プラグの差し込み動作を阻害することはない。【００３３】  また、カバー体は、プラグ受に着脱可能に装着することにより、プラグ受の清掃などを行う際にプラグ受からプラグ受カバーを簡単に取り外すことができ、掃除機や炊飯器、アイロンなどのように使用の都度に差込プラグをプラグ受に差し込むことに用いる場所に設置されたプラグ受においては、プラグ受カバーを取り外しておき、電機機器の配置替えで必要が生じたときに装着するような利用方法にも対応させることができる。【００３４】  また、カバー体の正面部とプラグ差込面との間の離隔距離は、栓刃部分が回動可能に形成された栓刃可動形プラグもしくは栓刃方向とコードの引出方向とが交差する方向にあるコーナープラグを、その厚さ方向で収容できる間隔に形成することが好ましく、栓刃可動形プラグもしくはコーナープラグをカバー体内に収容してコードのみを外部に引き出すことができるので、差込プラグの栓刃部分に塵埃が堆積することが防止できる。【００３５】  上記各構成に係るプラグ受カバーを適用するになるプラグ受は、埋込形コンセント、露出形コンセント、テーブルタップのいずれの形態であっても、プラグ差込口の種類や数に応じて、その表面を被覆して塵埃や水分の侵入を防止することができる。
【発明の効果】
【００３６】  コンセントなどのプラグ受に差込プラグを差し込んだ状態が長期にわたって維持される電気機器が多くなり、台所や洗面所、便所など水を使う場所で使用する電気機器が増加した近来の電気使用環境にあっては、差込プラグとプラグ受との間に塵埃が堆積しやすく、飛散した水が浸入する恐れが多分にあり、清掃もし難い部分でもあるため、塵埃の堆積を防止し水の浸入を防止する対策が求められており、この要求を本発明に係るプラグ受カバーにより満たすことが可能となる。また、使用されない状態にあるプラグ受にあってもプラグ受カバーで被覆された状態が得られるので、プラグ差込口に塵埃や水が浸入することが防止でき、プラグ受カバーを装着した状態で差込プラグの抜き差しができるので、使用状態、不使用状態にかかわらず塵埃や水からプラグ受及び差込プラグを保護することができる。
【発明を実施するための最良の形態】
【００３７】  図１は、第１の実施形態に係るプラグ受カバー１の構成を示すもので、普通形の２つのプラグ差込口Ｐ１，Ｐ２が設けられた埋設コンセント（プラグ受）Ａに対応するように形成された例を示している。このプラグ受カバー１は、埋込コンセントＡの壁面から露出する表面を被覆できる寸法形状にカバー体１１が形成され、このカバー体１１のプラグ差込口Ｐ１，Ｐ２に対向する正面部１１ａに、埋設コンセントＡに設けられた２つのプラグ差込口Ｐ１，Ｐ２それぞれに対応させて切断線１５とヒンジ線１６とを設けて２箇所のプラグ挿通口１２が形成されている。【００３８】  差込プラグが埋込コンセントＡに差し込まれない状態では、図２（ａ）に示すように、カバー体１１はプラグ差込口Ｐ１，Ｐ２に塵埃が侵入しないように埋込コンセントＡを被覆する。プラグ差込穴口Ｐ１，Ｐ２に差込プラグＢを差し込むときには、図２（ｂ）（ｃ）に示すように、プラグ挿通穴１２から差込プラグＢを挿入すると、切断線１５により切り離された各当接片１７ａ〜１７ｄはヒンジ線１６から内側に折れ曲るので差込プラグＢはその栓刃をプラグ差込口Ｐ１，Ｐ２に挿入することができる。【００３９】  前記カバー体１１は透明樹脂によって形成するのが望ましく、本構成においてはポリプロピレンの樹脂成形により形成するのが好適なものとなる。ポリプロピレンは透明性の点でポリエチレン、ポリスチロール等に劣るもののプラグ受カバー１で被覆された埋込コンセントＡに形成されたプラグ差込口Ｐ１，Ｐ２を充分に透視することができるので、差込プラグＢを抜き差しする際の障害とはならず、機械的強度に優れているばかりでなく、ヒンジ効果により前記ヒンジ線１６を簡易に形成できるので、本実施形態に係るプラグ受カバー１を構成するのに好適な形成材料となる。即ち、カバー体１１をその正面部１１ａに切断線１５とヒンジ線１６とを設けて１つの成形体に樹脂成形するだけでプラグ受カバー１を形成することができる。【００４０】  プラグ受カバー１の埋込コンセントＡに対する装着は、当該プラグ受カバー１を装着することを想定してプラグ受カバー装着部位を設けて構成された埋込コンセントの場合と、埋込コンセントＡにプラグ受カバー１を装着するための装着具を取り付ける場合とについて勘案する必要がある。埋込コンセントＡのカバープレートａに粘着テープによりプラグ受カバー１を固定することもできるが、埋込コンセントＡに対してプラグ受カバー１を着脱自在に装着できるようにするのが望ましい構成となる。【００４１】  図１は、埋設コンセントＡに金属薄板により形成された装着具３０を取り付けた例を示している。図示するように、埋設コンセントＡを設置するときにプレート枠ｂの取り付けと同時に装着具３０を取り付け、あるいは既設の埋込コンセントＡのプレート枠ｂを一旦取り外して装着具３０を挟んでプレート枠ｂを再び取り付ける。装着具３０が取り付けられた埋設コンセントＡにプラグ受カバー１を押し付けると、装着具３０に設けられた係止片３０ａに当接したカバー体１１の左右両側面が弾性変形し、フランジ部１１ｂが係止片３０ａの前端部分を通過すると共に左右両側面は弾性復帰してフランジ部１１ｂが係止片３０ａの凹部内に嵌入し、図��（ｃ）に示すように、係止片３０ａはフランジ部１１ｂ上を押さえてプラグ受カバー１を埋込コンセントＡに装着された状態に保持する。プラグ受カバー１を埋込コンセントＡから離脱させるときには、プラグ受けカバー１の左右両側面を内側に押圧すると、フランジ部１１ｂの係止片３０ａに対する係合が外れるので、プラグ受カバー１を簡単に取り外すことができる。【００４２】  また、埋込コンセントＡは、そのプレート枠ｂに係止片３０ａを一体に形成した構造とすることにより、埋設コンセントＡを新設する場合や、既設の埋設コンセントＡのプレート枠ｂを交換することにより、プラグ受カバー１を着脱自在に設けることができる。【００４３】  また、図３に示すように、埋込コンセントＡのカバープレートａに両面テープ２０により貼着して装着具４０を取り付けるように構成することもできる。この装着具４０では、埋込コンセントＡのプレート枠ｂを取り外す必要がないので、既設の埋込コンセントＡに装着具４０を取り付ける作業が容易であり、プラグ受カバー１の装着を簡単に実施することができる。【００４４】  図４は、プラグ受カバー１が装着された埋込コンセントＡのプラグ差込口Ｐ１に差込プラグＢを、プラグ差込口Ｐ２に栓刃回動形差込プラグＣを差し込んだ状態を示すものである。プラグ受カバー１のプラグ挿通口１２から差込プラグＢを挿入すると、プラグ挿通口１２に切断線１５によって４つに切り離された当接片１７ａ〜１７ｄはヒンジ線１６から折れ曲り、埋込コンセントＡの刃受穴に栓刃を挿入した差込プラグＢの胴部に当接片１７の先端が当接した状態となる。当接片１７ａ〜１７ｄはヒンジ線１６からの折れ曲りにより隣り合う間に隙間が発生するが、その隙間からカバー体１１内に侵入する塵埃の量は少なく、差込プラグＢの栓刃部分と刃受穴との間に塵埃が堆積する状態は大幅に改善される。【００４５】  上記構成において、埋込コンセントＡのプラグ差込口Ｐ１，Ｐ２と、カバー体１１の正面部１１ａとの離隔距離は、当接片１７ａ〜１７ｄがヒンジ線１６から折れ曲ったとき、その先端が埋込コンセントＡに当たらない距離であると同時に、図４に示すように、栓刃可動型差込プラグＣがその栓刃部位を９０度に回動させて刃受穴に差し込んだ状態でカバー体１１内に収容できる距離とするのが好ましいものとなる。栓刃可動型差込プラグＣは刃受部位を９０度回動させることにより、埋込コンセントＡからの突出量が少なくなるので、それを適用したコードの使用が増加しているが、防塵上では不利な問題もあるので、全体を被覆するのが好適な防塵対策となる。この栓刃可動型差込プラグＣの収容を可能とするためには、カバー体１１の下側面にコードを外部に引き出すための切欠き部１１ｃを形成する必要がある。カバー体１１の下側面は防塵の作用に大きく関与しないので、コード通し用の切欠き部１１ｃを設けても塵埃の侵入を増加させることはない。【００４６】  尚、栓刃回動形差込プラグＣの栓刃部位を回動させない状態にしてプラグ挿通口１２からプラグ差込口Ｐ１，Ｐ２に差し込むこともできる。また、実施形態の構成においては、当接片１７ａ〜１７ｄは上下左右に４枚形成されているが、切断線１５をＨの字状に形成して上下２枚の当接片���形成することもできる。【００４７】  次に、本発明の第２の実施形態に係るプラグ受カバー２について図５を参照して説明する。本実施形態は、プラグ挿通口２２の構成が第１の実施形態の構成とは異なるもので、共通する構成要素には同一の符号を付し、その説明は省略する。【００４８】  図５において、プラグ受カバー２を構成するカバー体２１の正面部２１ａには、埋込コンセントＡのプラグ差込口Ｐ１，Ｐ２に対応する位置にプラグ挿通口２２が形成され、プラグ挿通口２２には、それを塞ぐように当接片形成体２３が取り付けられている。当接片形成体２３は分解図示するように、軟質樹脂（低密度ポリエチレンなど）のシートにＨの字状の切断線２６を形成した上下当接シート２７と、Ｉの字状の切断部２８を形成した左右当接シート２２と、この上下当接シート２７と左右当接シート２９とを重ね合わせた状態にしてカバー体２１に固定する固定枠２５とを備えて構成されている。カバー体２１のプラグ挿通口２２の周囲に形成された複数のボス２１ｄに上下当接シート２７、左右当接シート２９、固定枠２５それぞれに形成された取付穴２４を通し、固定枠２５の外側に突き出たボス２１ｄの先端部を熱溶融させて固定枠２３とカバー体２１との間で左右当接シート２７と左右当接シート２９とがその周囲で圧着した状態にして固定する。【００４９】  上記構成になるプラグ受カバー２を埋込コンセントＡに装着し、プラグ挿通口２２から差込プラグＢを差し込むと、軟質体である上下当接シート２７の上下当接片２７ａ及び左右当接シート２９の左右当接片２９ａは差込プラグＢに押されて屈曲し、差込プラグＢをプラグ差込口Ｐ１，Ｐ２に向けて通過させることができる。屈曲した上下当接片２７ａの先端部分は差込プラグＢの上下に当接し、左右当接片２９ａの先端部分は差込プラグＢの左右に当接すると共に上下当接片２７ａの内側に接触するので、差込プラグＢを埋込コンセントＡに差し込んだときにできる隙間の発生が少なく、プラグ挿通口２２からカバー体２内への塵埃の侵入を効果的に抑制することができる。【００５０】  尚、当接片形成体２３は、左右当接シート２９を省略して上下当接シート２７だけで構成することもでき、外部からカバー体２１内に塵埃が侵入する隙間の面積が増加するが、差込プラグＢの栓刃部分への塵埃堆積は上下当接シート２７によって防止することができる。また、埋込コンセントＡに対する装着手段は、第１の実施形態に示したものと同様に構成することができる。【００５１】  次いで、本発明の第３の実施形態に係るプラグ受カバー３について図６、図７を参照して説明する。上記第１及び第２の各実施形態の構成と共通する構成要素には同一の符号を付し、その説明は省略する。【００５２】  図６において、プラグ受カバー３を構成するカバー体３１の正面部３１ａには、埋込コンセントＡのプラグ差込口Ｐ１，Ｐ２に対応する位置にプラグ挿通口３２が形成され、各プラグ挿通口３２に当接片形成体３７が取り付けられている。前記当接片形成体３７は分解図示するように、熱可塑性エラストマーなどの弾性及び伸縮性を有するゴム質シートに外形寸法が小さい差込プラグＢのボディ部分の断面積より小さい面積の開口部３３を形成したゴム質当���シート３４と、それをカバー体３１に固定する固定枠３６とにより構成されている。このゴム質当接シート３４は、プラグ挿通口３２の周囲に内側に向けて形成された複数のボス３１ｄに取付穴３５を通して装着し、その上に固定枠３６を配して固定枠３６の取付穴３５から突出するボス３１ｄの先端部分を溶融させることによりプラグ挿通口３２に固定される。【００５３】  上記構成になるプラグ受カバー３を埋込コンセントＡに装着し、プラグ挿通口３２から差込プラグＢを差し込むと、開口部３３は押し広げられ、ゴム質当接シート３４は差し込み方向に引き伸ばされ、図７に示すように、差込プラグＢのボディ部分の周囲を包み込んで差込プラグＢを通過させる。ゴム質当接シート３４は差込プラグＢのボディ周囲に密着するので、差込プラグＢを埋込コンセントＡに差し込んだときに隙間の発生がなく、プラグ挿通口２２からカバー体２内に塵埃が侵入しない。【００５４】  上記構成におけるゴム質当接片３４に代えて、図８に示すように、ゴム質シート又は軟質シートにスリット３９を形成したスリット当接片３８を取り付けて構成することもできる。前記スリット３９は、差込プラグＢの幅より充分に大きく形成しておくことにより、スリット３９に差込プラグＢを差し込むと、ゴム質又は軟質のスリット当接片３８は差込プラグＢの厚さで開き、差込プラグＢを埋込コンセントＡに通過させることができ、プラグ差込口Ｐに差し込まれた差込プラグＢにはスリット当接片３８のスリット３９の端縁が密着するので、カバー体３１内への塵埃の侵入は抑制される。【００５５】  次いで、本発明の第４の実施形態に係るプラグ受カバー４について図９、図１０を参照して説明する。本実施形態に係るプラグ受カバー４は、抜止形の埋込コンセントにも対応できるように構成したものである。【００５６】  図９において、プラグ受カバー４を構成するカバー体４１の正面部４１ａには、埋込コンセントＡのプラグ差込口Ｐ１，Ｐ２に対応する位置にプラグ挿通口４２が形成され、各プラグ挿通口４２には、当接シート４６を取り付けた当接片形成体４４が回動自在に装着されている。前記当接片形成体４４は、軟質シートにＨの字状の切断線４５を形成した当接シート４６をその周囲両側から固定枠４７で固定して形成され、図１０に示すように、プラグ挿通口４２の内側に回動保持枠４８でカバー体４１に回動自在に保持されている。【００５７】  上記構成になるプラグ受カバー４を埋込コンセントＡに装着し、プラグ挿通口４２から差込プラグＢを差し込むと、当接シート４６は切断線４５から開いて差込プラグＢを通過させる。開いた当接シート４６の上下の当接片４６ａ，４６ｂの先端部分は差込プラグＢのボディの上下に当接し、差込プラグＢを埋込コンセントＡに差し込んだときにプラグ挿通口２２からカバー体２内に塵埃が侵入することを抑制する。本構成によれば、埋込コンセントＡが抜止形に構成されている場合であっても、当接片形成体４４はカバー体４１に対して回動自在に保持されているので、差込プラグＢをプラグ差込口に差し込んで抜け止め位置に回動させる動作に対応させることができる。【００５８】  上記プラグ受カバー４の当接片形成体４４には軟質シートに切断線４５を形���した当接シート４６を取り付けているが、第３の実施形態において示したゴム質当接シート３４やスリット当接片３８を取り付けることもできる。【００５９】  また、第１〜第３の各実施形態に示したプラグ受カバー１，２，３は、図１１（ａ）に示すように、基本的に埋込コンセントＡに装着した後に差込プラグＢを差し込むように構成しているが、図１１（ｂ）に示すように、プラグ挿通口１２，２２，３２を貫通させて差込プラグＢをプラグ差込口に差し込んだ後、カバー体１１，２１，３１を埋込コンセントＡに装着することもできる。この場合には、当接片１７ａ〜１７ｄ（当接シート２７，２９、３４の場合も同じ）がコード側に出るので、主に水滴の侵入を防御するのに効果的となる。しかし、差込プラグＢの抜き出しに際しては、カバー体１１，２２，３２を外す必要がある。【００６０】  ところで、埋込コンセントＡのプラグ差込口は、図１２に示すように、定格電圧１２５Ｖ、許容電流１５Ａ以下のものに限定しても、その構造は一般的な平行な２極栓刃を差し込む普通形（ａ）だけでなく、差込プラグＢを差し込み位置から抜け止め位置に回動させて差込プラグＢの差し込み状態を保持する抜止形（ｂ）、接地用栓刃を有する３端子の差込プラグにも対応できるようにした接地極付き普通形（ｃ）、３端子の差込プラグに対しても抜け止めを可能にする接地極付きの抜止形（ｄ）、引掛形栓刃を有する差込プラグに対応する引掛形（ｅ）などとして存在する。また、プラグ差込口の口数が各形について１〜３口の範囲で存在し、プラグ差込口の位置が異なる。更に、各形及び口数について接地端子（ｆ）の有無などの種類がある。従って、プラグ受カバーはコンセントの種類に対応させることが要求され、前述した第１〜第４の各実施形態に示したプラグ受カバー１，２，３，４は、コンセントの種類別に対応する形態のものを用意する必要がある。望ましくは、１つのプラグ受カバーによって多様な種類のコンセントに対応できるようにすることである。以下に、プラグ差込口の構造や口数が異なっても対応できるプラグ受カバーの第５及び第６の各実施形態について説明する。【００６１】  図１３は、第５の実施形態に係るプラグ受カバー５の構成を示すもので、カバー体５１の正面部５１ａに形成されたプラグ挿通口５２には、埋込コンセントＡに設けられるプラグ差込口Ｐ１〜Ｐ３の最大の口数（３口）に対応可能な４個の当接片形成体５７が摺動移動自在に装着されている。前記当接片形成体５７は、図１３（ｂ）に示すように、薄肉形成されて可撓性が与えられた上下２片の当接片５８，５８と、プラグ挿通口５２の左右に設けられた摺動溝５６内に嵌入される左右一対の摺動片５９，５９とを備え、摺動片５９，５９をカバー体５１の内側から前記摺動溝５６に嵌入することにより、当接片５８，５８がプラグ挿通口５２内に配置される。４個の当接片形成体５７をカバー体５１に装着すると、図１３（ａ）に示すように、隣り合う当接片形成体５７はそれぞれ当接片５８の先端部で接した状態となる。このプラグ受カバー５を埋込コンセントＡに装着すると、埋込コンセントＡの表面は被覆されるので、幼児がプラグ差込口Ｐ１〜Ｐ３に触れたり、塵埃が付着堆積することが防止できる���差込プラグＢを差し込むときには、プラグ差込口Ｐ１〜Ｐ３に最も近い当接片形成体５７の間から差込プラグＢを差し込むと、当接片５８が撓んで差込プラグＢを通過させると共に、当接片形成体５７は差込プラグＢがプラグ差込口Ｐ１〜Ｐ３の位置に差し込まれるのに対応して摺動移動する。【００６２】  上記構成になるプラグ受カバー５は、図１２に示した全ての種類の埋込コンセントＡに対応させることができる。図１４（ａ）は、普通形３口の埋込コンセントＡの全てのプラグ差込口Ｐ１〜Ｐ３にそれぞれ差込プラグＢを差し込んだ状態を模式的に示すもので、当接片形成体５７の当接片５８が撓んで差込プラグＢの側面に当接するので、差込プラグＢの栓刃部分とプラグ差込口Ｐ１〜Ｐ３の間に塵埃が堆積することが抑制される。また、図１４（ｂ）は、普通形１口の埋込コンセントＡあるいは普通形３口の埋込コンセントＡの中央のプラグ差込口Ｐ２にのみ差込プラグＢを差し込んだ状態を模式的に示すもので、各当接片形成体５７は当接片５８がほぼ均等に撓んでプラグ挿通口５２の開口部分を増加させることなく差込プラグＢの側面に当接するので、差込プラグＢの栓刃部分とプラグ差込口Ｐ１〜Ｐ３の間に塵埃が堆積することが抑制される。図１４（ｃ）は、接地極付き普通形又は接地極付き抜止形２口の埋込コンセントＡに接地端子付き差込プラグＤあるいは丸形などの比較的大型の差込プラグＤを差し込んだ状態を模式的に示すもので、形状寸法が一定でない差込プラグＢ，Ｄに対応する。これらの例に示すように、差込プラグＢ，Ｄの形状寸法が異なっている場合でも、プラグ差込口Ｐ１〜Ｐ３の位置が異なっている場合でも、プラグ受カバー５は対応が可能となる。また、当接片形成体５７は自在移動するので、抜止形のプラグ差込口に対しても対応が可能となる。【００６３】  埋込コンセントＡに設けられたプラグ差込口の数が２口以下のものに限定すれば、第１〜第４の各実施形態に示したプラグ受カバー１，２，３，４に適用したプラグ挿通口の構造をカバー体に移動可能に装着することにより、プラグ差込口の位置変化に対応させることができる。【００６４】  上記プラグ受カバー５の構成では、埋込コンセントＡに差し込まれた差込プラグＢの先端部は、カバー体５１によって覆われるので塵埃が堆積することが大幅に抑制されるが、プラグ挿通口５２には両側に開口部があるので、カバー体５１に塵埃が侵入することは避けられない。このプラグ挿通口５１からカバー体５１内への塵埃の侵入を防ぎ、尚且つ多様なコンセント形態の変化にも対応できる第６の実施形態について次に示す。【００６５】  図１５は、第６の実施形態に係るプラグ受カバー６の構成を示すもので、カバー体６１の正面部６１ａに形成されたプラグ挿通口６２には、可撓性シートのプラグ挿通口６２から正面に露出する部位に多数の当接片６３を列設形成した当接片形成体６４が装着されている。当接片形成体６４は、多数の横切断線６５と１本の縦切断線（横断切断線）６６とにより可撓性シートのプラグ挿通口６２からの露出部位を左右に多数分割したもので、当接片６３は１〜５ｍｍの幅に形成するのが好適である。【００６６】  上記プラグ受カバー６を埋込コンセントＡに装着すると、埋込コンセントＡに差込プラグＢが差し込まれていない状態では、図１５（ａ）に示すように、プラグ挿通口６２は多数の当接片６３によって塞がれているので、カバー体６１内に塵埃が侵入することがなく、使用されていない埋設コンセントＡのプラグ差込口Ｐ１，Ｐ２に塵埃が堆積するのを防止することができる。差込プラグＢをプラグ差込口Ｐ１，Ｐ２に差し込むときには、図１５（ｂ）に示すように、差込プラグＢを当接片６３を押圧するように差し入れると、差込プラグＢに押された複数の当接片６３は撓んで差込プラグＢの進入を許すので、差込プラグＢをプラグ差込口に差し込むことができる。撓んだ当接片６３は弾性により差込プラグＢの左右側面に当接し、押圧を受けなかった当接片６３は差し込まれた差込プラグＢの上下でプラグ挿通口６２を塞いでいるので、差込プラグＢが差し込まれた状態でもカバー体６１内への塵埃の侵入は大幅に抑制され、差込プラグＢの一対の栓刃間に堆積した塵埃によるトラッキング現象の発生が防止できる。【００６７】  図１５は普通形のプラグ差込口が２口設けられた埋込コンセントＡにプラグ受カバー６を装着した例を示しているが、プラグ差込口の口数が１口の場合でも、３口の場合でもプラグ差込口の位置に対応する当接片６３が差し込まれた差込プラグＢによって撓むので、埋込コンセントＡの口数に関係なく共通のプラグ受カバー６を適用することができる。また、プラグ差込口の構造が抜止形であっても斜めに差し込まれた差込プラグＢに押圧された当接片６３が撓み、差し込まれた後に差込プラグＢが水平方向の抜け止め位置まで回動されると、図１５（ｂ）に示す状態となる。また、差込プラグＢの外形形状寸法は一定でなく、特に接地極付き３端子の差込プラグＢは寸法が大きくなるが、細い幅で多数分割された当接片６３は差込プラグＢの形状寸法に対応する位置で撓むので、多様な形状寸法の差込プラグＢの差し込みに対応させることができる。従って、埋込コンセントＡの種類にかかわらず共通のプラグ受カバー６を適用することが可能となる。【００６８】  上記プラグ受カバー６は、カバー体６１の正面部６１ａに開口させたプラグ挿通口６２に多数の当接片６３を形成した可撓性シートを装着しているが、図１６に示すように、多数の当接片６３をカバー体６１の成形時に一体に形成したプラグ受カバー６ａのように構成することもできる。カバー体６１は所要の剛性が必要であるが、カバー体６１と一体に形成された当接片６３は小さい幅に多数分割されているので可撓性を与えることができる。例えば、カバー体６１をポリプロピレンを素材として樹脂成形した場合には、多数の当接片６３の１片の幅及び厚さを適宜に選択することにより可撓性を与えることができ、必要に応じて薄肉形成したヒンジ線を適所に設けることにより、差込プラグＢの差し込み時の折り曲げ位置を特定することができる。【００６９】  上記プラグ受カバー６，６ａにおいて、上下及び左右に隣り合う当接片６３の間は完全に切り離すのではなく、微小幅の未切断部分で互いにつながっているように形成することにより、当接片形成体６４としての強度の向上を図ることができ、差込プラグＢにより押圧されたときには、押圧を受けた当接片６３は未切断部分から切り離され、その他の部位は平面状態を維持することができる。【００７０】  また、図１７に断面図として示すように、カバー体６１の高さ寸法Ｈ１は前述したように栓刃回動形差込プラグＣを内部に収容できる程度にして埋込コンセントＡから無用に突出しないように形成することが望ましく、当接片６３を形成したプラグ挿通口６２の幅Ｗは差込プラグＢの最大幅を余裕をもって通過させ得るように形成することになるので、左右に対向して形成されている各当接片６３の長さＬは、カバー体６１の内面から埋込コンセントＡのプラグ差込口Ｐまでの距離Ｈ２より長くなる。従って、差込プラグＢをプラグ差込口Ｐに差し込んだとき当接片６３の先端部分を差込プラグＢとプラグ差込口Ｐとの間に挟み込んでしまう状態となりやすく、差込プラグＢの差し込みが不充分になる恐れがある。この当接片６３の先端部分が差込プラグＢとプラグ差込口Ｐとの間に挟み込まれることを防止するために、当接片６３の厚さをカバー体６１の連結部から先端部に至るほど薄くなるように形成し、先端部側で可撓性が大きくなるように成形することが好ましい。また、図１７（ａ）に示すように、当接片６３の先端部に内側に円弧状に曲がる曲面部６３ａを設けることが好適で、当接片６３が差込プラグＢによって押圧されて内側に折れ曲がったとき、図１７（ｂ）に示すように、前記曲面部６３ａが埋込コンセントＡの表面を滑って対向する当接片６３は互いに外側に湾曲するので、差込プラグＢとプラグ差込口との間に当接片６３の先端部が挟み込まれる状態を回避することができる。【００７１】  当接片６３の先端部に形成される曲面部６３ａは、図１７（ａ）に示すように、カバー体６１の樹脂成形時のアンダーカットとなり、成形金型が複雑化してコストアップにつながるので、図１７（ｃ）（ｄ）に示すように、当接片６３を外側に膨出する円弧状に形成しても差込プラグＢとプラグ差込口Ｐとの間に当接片６３の先端部が挟み込まれることを防止することができる。【００７２】  上記のように多数の当接片６３を列設形成したプラグ受カバー６，６ａの構成では、プラグ差込口Ｐに差し込まれた差込プラグＢを抜き出すときに、差込プラグＢを掴む指の押圧により当接片６３が撓むので、差込プラグＢを充分に掴むことができ、コードを引っ張って差込プラグＢを抜き出すことによる差込プラグＢの損傷を防止することができる。従って、電気掃除機など使用の都度に差込プラグＢを抜き差しする埋込コンセントＡにプラグ受カバー６，６ａを装着しても差込プラグＢの抜き差しの障害となることが軽減される。【００７３】  また、電気器具の種類や数の増加に伴って埋込コンセントＡに差込形マルチタップが差し込まれることが多くなっているが、差込形マルチタップを介した差込プラグＢの接続は差込プラグＢの栓刃部分に塵埃を堆積させてトラッキング現象を発生させる箇所を増加させることにもなる。この埋込コンセントＡに差し込まれた差込形マルチタップに対しても防塵構造を施すために、図１８に示すように、プラグ受カバー７を差込形マルチタップＭを包含する形状寸法にカバー体７１を形成することができる。図示するように、栓刃回動形の差込刃を備えた薄型の差込形マルチタップＭであれば、それに設けら���た３箇所のプラグ差込口Ｐａ，Ｐｂ，Ｐｃに差し込まれた差込プラグＢの栓刃側を被覆できる寸法にカバー体７１を形成し、カバー体７１の側面に差込プラグＢの挿通口７２ａ，７２ｂ，７２ｃを設けることにより、差込形マルチタップＭとそれに差し込まれた差込プラグＢに塵埃が堆積することを防止してトラッキング現象の発生を抑止することができる。【００７４】  また、電源コンセントに加えてテレビコンセントや電話回線用モジュラコンセント、ＬＡＮ用モジュラコンセントなどを一体に構成したマルチメディアコンセントの普及が進んでいるが、このような電源以外の接続機能を備えたコンセントの場合には、コンセント全体を被覆するようにカバー体を形成し、電源コンセントに対向する部位に前述した各実施形態に示したように当接片を設けたプラグ挿通口を形成することにより、前述構成と同様の効果を得ることができる。他のコンセント部分に対しても同様の防塵構造を設けてもよいが、カバー体をコンセント表面に近接させ、その部位に開口部を形成するとプラグの抜き差しの障害とはならない。【００７５】  以上説明した各実施形態の構成は、埋込コンセントＡに適用した例であるが、露出形コンセントやテーブルタップの場合では、装着具の形態及びカバー体の形態を装着対象の形状に合わせて変更することにより同様に構成することができる。
【産業上の利用可能性】
【００７６】  本発明に係るプラグ受カバーによれば、電気製品の数や種類が増え、コンセントの差込プラグを常時差し込んだままとなる電気製品が増加し、台所や便所などの水や紙粉、繊維粉などが飛散する場所にも電気製品が使用されるようになった現在の電気使用環境において発生頻度が増加することが懸念されるトラッキング現象の発生を抑制することができる。
【図面の簡単な説明】
【００７７】
【図１】  第１の実施形態に係るプラグ受カバーの構成を示す斜視図。
【図２】  埋込コンセントにプラグ受カバーを装着した状態（ａ）と、差込プラグを差し込んだ状態（ｂ）（ｃ）を示す断面図。
【図３】  装着具の実施態様を示す斜視図。
【図４】  埋込コンセントに差込プラグと栓刃回動形差込プラグとを差し込んだ状態を示す斜視図。
【図５】  第２の実施形態に係るプラグ受カバーの構成を示す斜視図。
【図６】  第３の実施形態に係るプラグ受カバーの構成を示す斜視図。
【図７】  同上プラグ受カバーに差込プラグを差し込んだ状態を示す斜視図。
【図８】  同上構成における当接シートの変形例を示す斜視図。
【図９】  第４の実施形態に係るプラグ受カバーの構成を示す斜視図。
【図１０】  同上構成における当接片形成体の構成を示す断面図。
【図１１】  装着順序を変えた場合の状態を説明する模式図。
【図１２】  埋込コンセントの種類を示す概略図。
【図１３】  第５の実施形態に係るプラグ受カバーの構成を示す斜視図。
【図１４】  埋込コンセントあるいは差込プラグの種類、プラグ差込口の位置変化に対する対応を説明する模式図。
【図１５】  第６の実施形態に係るプラグ受カバーの構成を示す斜視図。
【図１６】  多数の当接片をカバー体と一体に形成したプラグ受カバーの構成を示す斜視図。
【図１７】  当接片の構造を説明する断面図。
【図１８】  差込形マルチタップの差し込みに対応するプラグ受カバーの構成を示す斜視図。
【符号の説明】
【００７８】１，２，３，４，５，６，６ａ，７  プラグ受カバー
１１，２１，３１，４１，５１，６１，７１  カバー体
１２，２２，３２，４２，５２，６２  プラグ挿通口
１５、２６  切断線
１６  ヒンジ線
１７ａ，１７ｂ，１７ｃ，１７ｄ，５８，６３  当接片
２３，３７，４４，５７，６４  当接片形成体
３０  装着具
３９  スリット
４８  回動保持枠
５６  摺動溝
５９  摺動片
６５  横切断線（切断線）
６６  縦切断線（横断切断線）
Ａ  埋込コンセント（プラグ受）
Ｂ，Ｃ，Ｄ  差込プラグ
Ｐ１，Ｐ２，Ｐ３  プラグ差込口
【図１】
2005235747.tif 000003
【図２】
2005235747.tif 000004
【図３】
2005235747.tif 000005
【図４】
2005235747.tif 000006
【図５】
2005235747.tif 000007
【図６】
2005235747.tif 000008
【図７】
2005235747.tif 000009
【図８】
2005235747.tif 000010
【図９】
2005235747.tif 000011
【図１０】
2005235747.tif 000012
【図１１】
2005235747.tif 000013
【図１２】
2005235747.tif 000014
【図１３】
2005235747.tif 000015
【図１４】
2005235747.tif 000016
【図１５】
2005235747.tif 000017
【図１６】
2005235747.tif 000018
【図１７】
2005235747.tif 000019
【図１８】
2005235747.tif 000020